(57)【要約】【課題】例えばペットに付着した粒状体を落とすための効果を高める。【解決手段】砂収容部７１から出入口６２へ向かうペットを迂回通路１１１で迂回させることができるので、ペットをより長い時間、便床トレイ１１１内を歩かせることができる。このため、ペットの足に付着したペット用砂７２，・・・を便床トレイ１１１内に落とす機会を増大することができる。したがって、ペットの足に付着したペット用砂７２，・・・を便床トイレ１１内に落とす効果を高めることができ、ペット用砂７２，・・・の外部への散乱を防止することができる。【選択図】図６
2009136274.tif 000002
【特許請求の範囲】
【請求項１】
便床トレイに粒状体を収容する収容部が設けられたペット用トイレにおいて、
前記収容部と出入口との間にペットを迂回させる迂回通路を設けるとともに、該迂回通路にメッシュ状の簀の子を設けたことを特徴とするペット用トイレ。
【請求項２】
便床トレイに粒状体を収容する収容部が設けられたペット用トイレにおいて、
前記収容部と出入口との間にペットを迂回させる迂回通路を設けるとともに、該迂回通路の前記粒状体を前記収容部に回収する回収部を備えたことを特徴とするペット用トイレ。
【請求項３】
便床トレイに粒状体を収容する収容部が設けられ、前記便床トイレを覆うフードに出入口が設けられたペット用トイレにおいて、
前記収容部と前記出入口との間にペットを迂回させる迂回通路を設けるとともに、該迂回通路の前記粒状体を前記収容部に回収する回収部を備えたことを特徴とするペット用トイレ。
【請求項４】
便床トレイに粒状体を収容する収容部が設けられ、前記便床トイレを覆うフードに出入口が設けられたペット用トイレにおいて、
前記収容部と前記出入口との間にペットを迂回させる迂回通路を設け、該迂回通路を前記収容部より高位置に設定する一方、
該収容部から前記迂回通路への進入方向と該迂回通路を移動するペットの移動方向とを交差方向に設定したことを特徴とするペット用トイレ。
【請求項５】
便床トイレを覆うフードに開閉式の蓋部が設けられたペット用トイレにおいて、
粒状体を収容する収容部と出入口との間にペットを迂回させる迂回通路を設けるとともに、前記蓋部の閉鎖状態を維持するロック手段を設けたことを特徴とするペット用トイレ。
【請求項６】
便床トレイに粒状体を収容する収容部が設けられたペット用トイレにおいて、
前記収容部と出入口との間にペットを迂回させる迂回通路を設けるとともに、該迂回通路に付着物落下用の落下用部材を設けたことを特徴とするペット用トイレ。
【発明の詳細な説明】
【技術分野】
【０００１】
本発明は、猫などのペットが排泄物を排出するペット用トイレに関する。
【背景技術】
【０００２】
従来、室内で飼育するペットの排泄物を処理する際には、ペット用トイレが使用されていた（例えば、特許文献１参照。）。
【０００３】
このペット用トイレは、便床トレイと、該便床トレイの上部を覆うフードからなり、該フードは、内部を観察できるように透明又は半透明の樹脂で構成されているとともに、その前面には、当該ペット用トイレ内への出入口が設けられている。前記便床トレイの奥側には、砂収容部が形成されており、該砂収容部には、ペット用砂が収容されている。
【０００４】
これにより、前記出入口から前記便床トレイ内に入ったペットが、前記砂収容部に収容されたペット用砂の上で排泄物を排出できるように構成されており、この排泄物を前記ペット用砂で固めて廃棄できるように構成されている。
【０００５】
前記出入口と前記砂収容部との間には、長方形状の簀の子が横設されており、該簀の子には、多数の開口部が設けられている。
【０００６】
これによって、この簀の子上をペットが通過する際に、当該ペットの足に付着した前記ペット用砂を前記開口部から落下させ、該ペット用砂の外部への散乱を防止できるように構成されている。
【特許文献１】特開２００４−１２９５５６号公報
【発明の開示】
【発明が解決しようとする課題】
【０００７】
しかしながら、このようなペット用トイレにあっては、次のような課題があった。
【０００８】
図１８に示すように、出入口の近傍に長方形状の簀の子１１００１が横設されているため、ペット１１００２の足１１００３，・・・が着地する機会が少なく、ペット用砂１１００４，・・・を落とすための効果が満足すべきものではなかった。
【０００９】
さらに、ペットを迂回させる迂回通路を前記砂収容部と出入口との間に直線状に延設すると、ペットが迂回通路を走り抜けてしまうという問題があった。
【００１０】
そして、清掃容易性を高める為に前記フードに開閉式の蓋部を設けた場合、ペットが透明の蓋部を介して外へ出ようとすることがある。この場合、ペットが蓋部に当たり、当該蓋部を開放してしまうことがあった。
【００１１】
本発明は、このような従来の課題に鑑みてなされたものであり、これらのいずれかの課題を解決することができるペット用トイレを提供することを目的とするものである。
【課題を解決するための手段】
【００１２】
前記課題を解決するために本発明の請求項１のペット用トイレにあっては、便床トレイに粒状体を収容する収容部が設けられたペット用トイレにおいて、前記収容部と出入口との間にペットを迂回させる迂回通路を設けるとともに、該迂回通路にメッシュ状の簀の子を設けた。
【００１３】
すなわち、便床トレイの収容部と出入口との間には、ペットを迂回させる迂回通路が設けられており、前記収容部から前記出入口へ向かうペットを前記迂回通路で迂回させることができる。
【００１４】
これにより、ペットをより長い時間、便床トレイ内を歩かせることができる。
【００１５】
そして、この迂回通路には、メッシュ状の簀の子が設けられている。
【００１６】
このため、ペットに付着した付着物を簀の子のメッシュを介して落下させることができる。
【００１７】
また、本発明の請求項２のペット用トイレにあっては、便床トレイに粒状体を収容する収容部が設けられたペット用トイレにおいて、前記収容部と出入口との間にペットを迂回させる迂回通路を設けるとともに、該迂回通路の前記粒状体を前記収容部に回収する回収部を備えている。
【００１８】
すなわち、便床トレイの収容部と出入口との間には、ペットを迂回させる迂回通路が設けられており、前記収容部から前記出入口へ向かうペットを前記迂回通路で迂回させることができる。
【００１９】
これにより、ペットをより長い時間、便床トレイ内を歩かせることができる。
【００２０】
そして、この迂回通路の粒状体を前記収容部に回収する回収部を備えている。このため、前記迂回通路を移動する際にペットが落とした前記粒状体を前記回収部を介して前記収容部に戻すことができる。
【００２１】
さらに、本発明の請求項３のペット用トイレにあっては、便床トレイに粒状体を収容する収容部が設けられ、前記便床トイレを覆うフードに出入口が設けられたペット用トイレにおいて、前記収容部と前記出入口との間にペットを迂回させる迂回通路を設けるとともに、該迂回通路の前記粒状体を前記収容部に回収する回収部を備えている。
【００２２】
すなわち、便床トレイの収容部と出入口との間には、ペットを迂回させる迂回通路が設けられており、前記収容部から前記出入口へ向かうペットを前記迂回通路で迂回させることができる。
【００２３】
これにより、ペットをより長い時間、便床トレイ内を歩かせることができる。
【００２４】
また、この迂回通路の粒状体を前記収容部に回収する回収部を備えている。このため、前記迂回通路を移動する際にペットが落とした前記粒状体を前記回収部を介して前記収容部に戻すことができる。
【００２５】
そして、フードに設けられた出入口を介してペットを出入りさせることができる。
【００２６】
また、本発明の請求４のペット用トイレにあっては、便床トレイに粒状体を収容する収容部が設けられ、前記便床トイレを覆うフードに出入口が設けられたペット用トイレにおいて、前記収容部と前記出入口との間にペットを迂回させる迂回通路を設け、該迂回通路を前記収容部より高位置に設定する一方、該収容部から前記迂回通路への進入方向と該迂回通路を移動するペットの移動方向とを交差方向に設定した。
【００２７】
すなわち、便床トレイの収容部と出入口との間にペットを迂回させる迂回通路を設けることによって、前記収容部から前記出入口へ向かうペットを前記迂回通路で迂回させることができる。
【００２８】
これにより、ペットをより長い時間、便床トレイ内を歩かせることができる。
【００２９】
前記迂回通路を前記収容部より高位置に設定することによって、ペットが前記収容部から前記迂回通路に上るときに加わる力によって、足に付着した粒状体を落とすことができる。
【００３０】
そして、前記収容部から前記迂回通路への進入方向と該迂回通路を移動するペットの移動方向とを交差方向に設定したため、前記迂回通路に上って前記出入口へ向かうペットを曲がらせることができる。
【００３１】
さらに、本発明の請求５のペット用トイレにあっては、便床トイレを覆うフードに開閉式の蓋部が設けられたペット用トイレにおいて、粒状体を収容する収容部と出入口との間にペットを迂回させる迂回通路を設けるとともに、前記蓋部の閉鎖状態を維持するロック手段を設けた。
【００３２】
すなわち、前記蓋部の閉鎖状態を維持するロック手段を設けることによって、蓋部の不用意な開放を防止することができる。
【００３３】
また、請求項６のペット用トイレでは、便床トレイに粒状体を収容する収容部が設けられたペット用トイレにおいて、前記収容部と出入口との間にペットを迂回させる迂回通路を設けるとともに、該迂回通路に付着物落下用の落下用部材を設けた。
【００３４】
すなわち、便床トレイの収容部と出入口との間には、ペットを迂回させる迂回通路が設けられており、前記収容部から前記出入口へ向かうペットを前記迂回通路で迂回させることができる。
【００３５】
これにより、ペットをより長い時間、便床トレイ内を歩かせることができる。
【００３６】
そして、この迂回通路には、粒状体落下用の落下用部材が設けられている。
【００３７】
このため、ペットに付着した前記粒状体等の付着物を落下用部材を介して落下させることができる。
【発明の効果】
【００３８】
以上説明したように、本発明の請求項１のペット用トイレにあっては、便床トレイの収容部と出入口との間にペットを迂回させる迂回通路を設けることによって、前記収容部から前記出入口へ向かうペットを前記迂回通路で迂回させることができる。
【００３９】
これにより、ペットをより長い時間、便床トレイ内を歩かせることができるため、ペットの足に付着した粒状体を便床トレイ内に落とす機会を増大することができる。
【００４０】
したがって、ペットの足に付着した粒状体を前記便床トイレ内に落とす効果を高めることができ、粒状体の外部への散乱を防止することができる。
【００４１】
そして、この迂回通路には、メッシュ状の簀の子が設けられている。
【００４２】
このため、ペットに付着した付着物を簀の子のメッシュを介して落下させることができる。
【００４３】
また、本発明の請求項２のペット用トイレにあっては、便床トレイの収容部と出入口との間にペットを迂回させる迂回通路を設けることによって、前記収容部から前記出入口へ向かうペットを前記迂回通路で迂回させることができる。
【００４４】
これにより、ペットをより長い時間、便床トレイ内を歩かせることができるため、ペットの足に付着した粒状体を便床トレイ内に落とす機会を増大することができる。
【００４５】
したがって、ペットの足に付着した粒状体を前記便床トイレ内に落とす効果を高めることができ、粒状体の外部への散乱を防止することができる。
【００４６】
そして、このペット用トイレでは、前記迂回通路の粒状体を前記収容部に回収する回収部を備えているため、前記迂回通路を移動する際にペットが落とした前記粒状体を前記回収部を介して前記収容部に戻すことができる。
【００４７】
さらに、本発明の請求項３のペット用トイレにあっては、便床トレイの収容部と出入口との間にペットを迂回させる迂回通路を設けることによって、前記収容部から前記出入口へ向かうペットを前記迂回通路で迂回させることができる。
【００４８】
これにより、ペットをより長い時間、便床トレイ内を歩かせることができるため、ペットの足に付着した粒状体を便床トレイ内に落とす機会を増大することができる。
【００４９】
したがって、ペットの足に付着した粒状体を前記便床トイレ内に落とす効果を高めることができ、粒状体の外部への散乱を防止することができる。
【００５０】
また、このペット用トイレでは、前記迂回通路の粒状体を前記収容部に回収する回収部を備えているため、前記迂回通路を移動する際にペットが落とした前記粒状体を前記回収部を介して前記収容部に戻すことができる。
【００５１】
そして、フードに設けられた出入口を介してペットを出入りさせることができる。
【００５２】
また、本発明の請求４のペット用トイレにあっては、便床トレイの収容部と出入口との間にペットを迂回させる迂回通路を設けることによって、前記収容部から前記出入口へ向かうペットを前記迂回通路で迂回させることができる。
【００５３】
これにより、ペットをより長い時間、便床トレイ内を歩かせることができるため、ペットの足に付着した粒状体を便床トレイ内に落とす機会を増大することができる。
【００５４】
したがって、ペットの足に付着した粒状体を前記便床トイレ内に落とす効果を高めることができ、粒状体の外部への散乱を防止することができる。
【００５５】
また、前記迂回通路を前記収容部より高位置に設定することによって、ペットが前記収容部から前記迂回通路に上るときに加わる力によって、足に付着した粒状体を落とすことができる。
【００５６】
そして、前記収容部から前記迂回通路への進入方向と該迂回通路を移動するペットの移動方向とを交差方向に設定したため、前記迂回通路に上って前記出入口へ向かうペットを曲がらせることができ、前記迂回通路での移動速度を減速することができる。
【００５７】
したがって、ペットを迂回させる迂回通路を前記収容部と前記出入口との間に直線状に延設する場合のように、ペットが迂回通路を走り抜けてしまうという問題を解消し、前記迂回通路での前記粒状体の落下効果を高めることができる。
【００５８】
また、本発明の請求５のペット用トイレにあっては、蓋部の閉鎖状態を維持するロック手段を設けることによって、蓋部の不用意な開放を防止することができる。
【００５９】
したがって、清掃容易性を高める為に前記フードに開閉式の蓋部を設けた本発明において、ペットが蓋部を介して外へ出ようとした場合であっても、ペットが蓋部に当たって当該蓋部を開放してしまい、その解放部から外へ飛び出してしまうといった不具合を未然に防止することができる。
【００６０】
また、請求項６のペット用トイレでは、便床トレイの収容部と出入口との間にペットを迂回させる迂回通路を設けることによって、前記収容部から前記出入口へ向かうペットを前記迂回通路で迂回させることができる。
【００６１】
これにより、ペットをより長い時間、便床トレイ内を歩かせることができるため、ペットの足に付着した粒状体を便床トレイ内に落とす機会を増大することができる。
【００６２】
したがって、ペットの足に付着した粒状体を前記便床トイレ内に落とす効果を高めることができ、粒状体の外部への散乱を防止することができる。
【００６３】
そして、この迂回通路には、付着物落下用の落下用部材が設けられている。
【００６４】
このため、ペットに付着した前記粒状体等の付着物を落下用部材を介して落下させることができる。
【００６５】
なお、前記落下用部材としては、蜂の巣状に形成された段ボールによって構成しても良い。
【００６６】
また、前記落下用部材に設けられた穴形状は、六角形に限定されるものでは無い。例えば、四角形であっても良い。
【発明を実施するための最良の形態】
【００６７】
（第一の実施の形態）
【００６８】
以下、本発明の第一の実施の形態を図に従って説明する。図１は、本実施の形態にかかるペット用トイレ１を示す図であり、該ペット用トイレ１は、落下用部材であるメッシュ状の簀の子２を備えている。このペット用トイレ１は、室内で飼育されるペット、特に猫の排泄物を処理する際に使用される。
【００６９】
このペット用トイレ１は、合成樹脂で形成されており、底部を形成する便床トレイ１１と、該便床トレイ１１の上部を覆う上方膨出形状のフード１２とによって構成されている。前記便床トレイ１１及び前記フード１２は、共に矩形容器状に形成されている。
【００７０】
このフード１２は、奥側を構成するフード本体２１と、手前側を構成する前蓋部２２とによって構成されており、前記フード本体２１及び前記前蓋部２２は、半透明の合成樹脂で形成されている。
【００７１】
ここで、本実施の形態では、前記フード本体２１及び前記前蓋部２２を半透明の樹脂で形成する場合に付いて説明するが、透明な樹脂で形成しても良い。
【００７２】
前記前蓋部２２は、その上縁に設定された支持部３１，３１を介して前記フード本体２１の天面３２に回動自在に支持されており、この支持部３１，３１を中心に回動できるように構成されている。これにより、図中矢示したように、前記前蓋部２２のみを上方へ回動し、ペット用トイレ１前部を開口できるように構成されている。
【００７３】
前記前蓋部２２の前面下部には、ロック手段としての前部バックル４１が設けられており、当該前蓋部２２を閉鎖した状態で前記前部バックル４１を前記便床トレイ１１の上縁に係脱可能に係合したロック状態を形成できるように構成されている。これにより、このロック状態において、前記前蓋部２２の不用意な開放を防止できるように構成されている。
【００７４】
前記フード本体２１の両側面下部にも、側部バックル５１が設けられており、これらの側部バックル５１を前記便床トレイ１１の上縁に係脱可能に係合したロック状態を形成できるように構成されている。
【００７５】
前記前蓋部２２の前面６１には、ペットが出入りする為の出入口６２が開設されており、該出入口６２は、正面左寄りに設定されている。
【００７６】
前記便床トレイ１１は、図２に示すように、上方へ向けて開口した容器状に形成されており、図中右側には、砂収容部７１が形成されている。該砂収容部７１には、水分を吸収して固化する粒状体としてのペット用砂７２，・・・が収容されており、このペット用砂７２，・・・によってペットの排泄物を固めて固形化できるように構成されている。
【００７７】
前記砂収容部７１の図中左側には、通路部８１が形成されており、該通路部８１の前端は、前記前蓋部２２に設けられた出入口６２に連通するように構成されている。この通路部８１と前記砂収容部７１との間には、仕切板８２が設けられており、該仕切板８２は、着色された非透明の樹脂で形成され、前記砂収容部７１から前記通路部８１側が見えないように構成されている。
【００７８】
なお、この仕切板８２は、非透明であったり、非半透明であっても良く、前記砂収容部７１から前記通路部８１側の視界を遮るものであれば良い。
【００７９】
この仕切板８２の長さ寸法は、図３にも示すように、前記便床トレイ１１の長さより短く設定されており、その前端が前記便床トレイ１１の前壁面９１に密着するように設けられている。これにより、前記仕切板８２の後縁と前記便床トレイ１１の後壁面９２との間には、前記通路部８１と前記砂収容部７１との行き来する為の連通口９３が設けられている。
【００８０】
前記便床トレイ１１の前記通路部８１には、図２に示したように、その中央部に上方へ膨出形成された段差部１０１が形成されており、該段差部１０１の両端には、前記砂収容部７１の底面に連続した凹部空間が形成され、前記砂収容部７１に連通した砂回収部１０２，１０２が設けられている。
【００８１】
前記段差部１０１上には、図３に示したように、前記簀の子２が設けられており、該簀の子２によって前記砂収容部７１から前記出入口６２へ向かうペットを迂回させる迂回通路１１１が、前記砂収容部７１より一段高い位置に設けられている。これにより、前記砂収容部７１と前記出入口６２との間には、ペットを迂回させる前記迂回通路１１１が設けられている。
【００８２】
そして、前記砂収容部７１から前記迂回通路１１１への進入方向１１５と該迂回通路１１１を移動するペットの移動方向１１６とは、交差方向に設定されている。
【００８３】
前記前蓋部２２に設けられた前記出入口６２の幅寸法１２１は、１２０ｍｍに設定されており、平均よりやや大きめで体重が７ｋｇの猫が出入りできる寸法に設定されている。また、前記連通口９３での幅寸法１２２は、１７０ｍｍに設定されており、平均よりやや大きめで体重が７ｋｇの猫が曲がれる寸法に設定されている。さらに、前記砂収容部７１の幅寸法１２３は、２７０ｍｍに設定されており、平均よりやや大きめで体重が７ｋｇの猫が当該砂収容部７１で回転しＵターンできる寸法に設定されている。
【００８４】
前記簀の子２の簀の子本体３０１は、図４及び図５に示すように、長方形状に形成されており、その上面は、通過時にペットが足で踏む踏み面３０２を構成している。これにより、この踏み面３０２をペットが踏んで通過する際に、当該ペットの足に付着したペット用砂７２，・・・等の付着物を落とせるように構成されている。
【００８５】
この簀の子本体３０１は（図３参照）、前記通路部８１にセットされた状態で、ペットが通過するペット通過方向３１１に延設されるように構成されており、その長さ方向がペット通過方向３１１に設定されている。
【００８６】
この簀の子本体３０１は、前記ペット通過方向３１１の長さ寸法３２１が４００ｍｍ以上、具体的には、４４０ｍｍに設定されており、図６に示すように、平均的な大人の猫３１２が当該簀の子本体３０１上を通過する場合であっても、総ての足３２２，・・・が前記踏み面３０２に着地するように構成されている。
【００８７】
すなわち、前記砂収容部７１にて排泄したペットがペット用トイレ１から出る際には、図３に示したように、前記連通口９３を通って一段高い前記簀の子２上に上ると同時に左側へ回る。これにより、走り出そうとするペットの加速を抑える減速手段が構成されており、前記簀の子２上をゆっくり歩かせることができる。
【００８８】
また、前記簀の子２が出入口６２近傍に横設された従来と比較して、当該簀の子２上を、より長い時間を掛けて歩かせることができるとともに、その歩数の増大を図ることができるように構成されている。
【００８９】
これにより、簀の子２への接地機会をより多くし、付着したペット用砂７２，・・・の落下をさらに促進できる。
【００９０】
前記簀の子本体３０１は、図４に示したよう、合成樹脂で形成されており、金属や木材で形成することもできる。この簀の子本体３０１は、長方形状の枠部４０１と、該枠部４０１内に配置され当該簀の子本体３０１の長さ方向に延在する複数の縦格子４０２，・・・と、前記枠部４０１内に配置され各縦格子４０２，・・・の交差方向に延在する複数の横格子４０３，・・・とで構成されており、前記枠部４０１と前記縦格子４０２，・・・と前記横格子４０３，・・・とは一体形成されている。
【００９１】
これにより、前記簀の子本体３０１には、前記縦格子４０２，・・・と前記横格子４０３，・・・とで包囲された正方形状の開口部４１１，・・・が設けられており、各開口部４１１，・・・は、上下に貫通している。各開口部４１１，・・・の一辺の長さ４１２，４１２は、２０ｍｍに設定されており、２０ｍｍ以下に設定することによって、当該簀の子本体３０１上を子猫が歩いた場合であっても、その足が前記開口部４１１，・・・に落ちないように構成されている。
【００９２】
ここで、本実施の形態では、前記各縦格子４０２，・・・と前記横格子４０３，・・・とが直交する場合に付いて説明するが、これに限定されるものではなく、斜めに交差させても良い。
【００９３】
前記枠部４０１の両短辺４２１，４２１及び前記各横格子４０３，・・・は、前記踏み面３０２を構成する上縁が上方へ突出した円弧状に形成されており、前記踏み面３０２は、全体的に中央が突出した円柱面状に形成されている。
【００９４】
これにより、図７に示すように、ペットである猫３１２が踏んで通過する簀の子２の踏み面３０２は、非平面状、具体的には、中央部が上方へ突出した曲面状に形成されており、歩き難い形状に形成されている。
【００９５】
このため、この踏み面３０２上を歩く猫３１２は、足３２２，３２２に力が加わり、踏ん張って歩くこととなる。これにより、足裏４５１，４５１面が変形することによって肉球間の隙間を開き、肉球間に挟まったペット用砂７２，・・・等などの付着物を積極的に落下させることができる。
【００９６】
なお、本実施の形態では、前記踏み面３０２を曲面で構成した場合に付いて説明するが、三角形状や多角形状であっても良い。
【００９７】
また、簀の子本体３０１自体を円柱状に形成して良い。
【００９８】
さらには、前記枠部４０１内にネットを架橋したり、金網を設けても良い。
【００９９】
そして、前記踏み面３０２を構成する前記縦格子４０２，・・・の上縁には、前記踏み面３０２側である上方へ突出するリブ４３１，・・・が間隔をおいて形成されており、当該踏み面３０２を歩くペットの足裏に、前記各リブ４３１，・・・が食い込むことによって足裏の肉球間の隙間を広げられるように構成されている。
【０１００】
このため、図８に示すように、このリブ４３１，・・・が猫３１２の足裏４５１，・・・に食い込むことによって、足裏４５１，・・・の肉球間の隙間を広げることができる。
【０１０１】
これによっても、肉球間に挟まったペット用砂７２，・・・等の付着物を落下させることができ、足裏４５１，・・・の肉球の間の付着物の残存量をより少なくすることができる。
【０１０２】
この場合、前記簀の子の踏み面３０２は、平坦面であっても良い。
【０１０３】
以上の構成にかかる本実施の形態において、便床トレイ１１の砂収容部７１とフード１２の出入口６２との間には、ペットを迂回させる迂回通路１１１が設けられており、前記砂収容部７１から前記出入口６２へ向かうペットを前記迂回通路１１１で迂回させることができる。
【０１０４】
これにより、ペットをより長い時間、前記便床トレイ１１１内を歩かせることができるため、ペットの足に付着した粒状体としてのペット用砂７２，・・・を前記便床トレイ１１１内に落とす機会を増大することができる。
【０１０５】
したがって、ペットの足に付着した前記ペット用砂７２，・・・を前記便床トイレ１１内に落とす効果を高めることができ、ペット用砂７２，・・・の外部への散乱を防止することができる。
【０１０６】
このとき、この迂回通路１１１には、メッシュ状の簀の子２が設けられている。
【０１０７】
このため、ペットの足に付着した前記ペット用砂７２，・・・を前記簀の子２のメッシュを構成する開口部４１１，・・・を介して落下させることができる。
【０１０８】
また、このペット用トイレ１では、前記迂回通路１１１の前記ペット用砂７２，・・・を前記砂収容部７１に回収する砂回収部１０２，１０２を備えている。このため、前記迂回通路１１１を移動する際にペットが落とした前記ペット用砂７２，・・・を前記砂回収部１０２，１０２を介して前記砂収容部７１に戻すことができる。
【０１０９】
そして、前記フード１２に設けられた出入口６２を介してペットを出入りさせることができる。
【０１１０】
また、前記便床トレイ１１を覆う前記フード１２は半透明に設定されている。このため、当該ペット用トイレ１内部を見易くすることができる。
【０１１１】
そして、前記迂回通路１１１側と前記砂収容部７１側とを隔てる仕切板８２を、着色された非透明の樹脂で形成することによって、ペットを前記迂回通路１１１に案内することができる。
【０１１２】
このため、前記仕切板８２が透明又は半透明に設定された場合と比較して、ペットが近道をしようとして、当該仕切板８２に当たってしまうといった不具合を未然に防止することができる。
【０１１３】
さらに、前記迂回通路１１１を前記砂収容部７１より高位置に設定することによって、ペットが前記砂収容部７１から前記迂回通路１１１に上るときに加わる力によって、足裏の肉球間を広げ、この肉球間に挟まれたペット用砂７２，・・・を落とすことができる。
【０１１４】
そして、前記砂収容部７１から前記迂回通路１１１への進入方向１１５と、前記迂回通路１１１を移動するペットの移動方向１１６とを交差方向に設定したため、前記迂回通路１１１に上って前記出入口６２へ向かうペットを曲がらせることができ、前記迂回通路１１１での移動速度を減速することができる。
【０１１５】
したがって、ペットを迂回させる迂回通路１１１を前記砂収容部７１と前記出入口６２との間に直線状に延設する場合のように、ペットが迂回通路１１１を走り抜けてしまうという問題を解消し、前記迂回通路１１１での前記ペット用砂７２，・・・の落下効果を高めることができる。
【０１１６】
加えて、前記便床トイレ１１を覆う前記フード１２の前記前蓋部２２を、半透明の合成樹脂で形成することによって、当該ペット用トイレ１内部を見易くすることができる。
【０１１７】
また、この前蓋部２２の閉鎖状態を維持するロック手段としての前部バックル４１を設けることによって、前記前蓋部２２の不用意な開放を防止することができる。
【０１１８】
したがって、清掃容易性を高める為に前記フード１２に開閉式の前記前蓋部２２を設けた本実施の形態のペット用トイレ１において、ペットが半透明の前記前蓋部２２を介して外へ出ようとした場合であっても、ペットが前蓋部２２に当たって当該前蓋部２２を開放してしまい、その解放部からペットが外へ飛び出してしまうといった不具合を未然に防止することができる。
【０１１９】
（第二の実施の形態）
【０１２０】
以下、本発明の第二の実施の形態を図に従って説明する。
【０１２１】
図９は、本実施の形態にかかるペット用トイレ１００１を示す図であり、該ペット用トイレ１００１は、図１０にも示すように、落下用部材であるメッシュ状の簀の子１００２を備えている。このペット用トイレ１００１は、室内で飼育されるペット、特に猫の排泄物を処理する際に使用される。
【０１２２】
このペット用トイレ１００１は、合成樹脂で形成されており、底部を形成する便床トレイ１０１１と、該便床トレイ１０１１の上部を覆う上方膨出形状のフード１０１２とによって構成されている。前記便床トレイ１０１１及び前記フード１０１２は、共に矩形容器状に形成されている。
【０１２３】
このフード１０１２は、図９から図１１に示すように、奥側を構成するフード本体１０２１と、手前側を構成する前蓋部１０２２とによって構成されており、前記フード本体１０２１及び前記前蓋部１０２２は、半透明の合成樹脂で形成されている。
【０１２４】
ここで、本実施の形態では、前記フード本体１０２１及び前記前蓋部１０２２を半透明の樹脂で形成する場合に付いて説明するが、透明な樹脂で形成しても良い。
【０１２５】
前記前蓋部１０２２は、図９に示したように、その上縁に設定された支持部１０３１，１０３１を介して前記フード本体１０２１の天面１０３２に回動自在に支持されており、この支持部１０３１，１０３１を中心に回動できるように構成されている。これにより、前記前蓋部１０２２のみを上方へ回動し、ペット用トイレ１００１前部を開口できるように構成されている。
【０１２６】
なお、前記前蓋部１０２２の前面下部に、第一の実施の形態のように、ロック手段としての前部バックル４１を設けることによって、当該前蓋部１０２２を閉鎖した状態で前記前部バックル４１を前記便床トレイ１０１１の上縁に係脱可能に係合したロック状態を形成できるように構成しても良く、このロック状態では、前記前蓋部１０２２の不用意な開放を防止できる。
【０１２７】
前記フード本体２１の両側面下部には、図９及び図１１並びに図１２に示すように、側部バックル１０５１，１０５１が設けられており、これらの側部バックル１０５１，１０５１を前記便床トレイ１０１１の上縁に係脱可能に係合したロック状態を形成できるように構成されている。
【０１２８】
前記前蓋部１０２２の前面１０６１には、図９及び図１０に示したように、ペットが出入りする為の出入口１０６２が開設されており、該出入口１０６２は、正面左寄りに設定されている。この出入口１０６２には、図９に示したように、開閉扉１０６３が設けられており、該開閉扉１０６３は、前記出入口１０６２の上縁に揺動自在に支持されている。
【０１２９】
前記便床トレイ１０１１は、図１２に示したように、上方へ向けて開口した容器状に形成されており、図中右側には、砂収容部１０７１が形成されている。該砂収容部１０７１には、水分を吸収して固化する粒状体としてのペット用砂１０７２，・・・が収容されており、このペット用砂１０７２，・・・によってペットの排泄物を固めて固形化できるように構成されている。
【０１３０】
前記砂収容部１０７１の図中左側には、通路部１０８１が形成されており、該通路部１０８１の前端は、図１２及び図１３にも示すように、前記前蓋部１０２２に設けられた出入口１０６２に連通するように構成されている。この通路部１０８１と前記砂収容部１０７１との間には、仕切板１０８２が設けられており、該仕切板１０８２は、着色された非透明の樹脂で形成され、前記砂収容部１０７１から前記通路部１０８１側が見えないように構成されている。
【０１３１】
なお、この仕切板１０８２は、非透明であったり、非半透明であっても良く、前記砂収容部１０７１から前記通路部１０８１側の視界を遮るものであれば良い。
【０１３２】
この仕切板１０８２の長さ寸法は、図１３に示したように、前記便床トレイ１０１１の長さより短く設定されており、その前端が前記便床トレイ１０１１の前壁面１０９１に密着するように設けられている。これにより、前記仕切板１０８２の後縁と前記便床トレイ１０１１の後壁面１０９２との間には、前記通路部１０８１と前記砂収容部１０７１との行き来する為の連通口１０９３が設けられている。
【０１３３】
前記便床トレイ１０１１の前記通路部１０８１には、図１２及び図１３に示したように、その中央部に上方へ膨出形成された段差部１１０１が形成されており、該段差部１１０１の両端には、前記砂収容部１０７１の底面に連続した凹部空間が形成され、前記砂収容部１０７１に連通した砂回収部１１０２，１１０２が設けられている。
【０１３４】
前記段差部１１０１の上面には、十字状に突出した一対の位置決め部１０９５，１０９５が突設されており、前記簀の子１００２を位置決めできるように構成されている。
【０１３５】
前記段差部１１０１上には、図１３に示したように、前記簀の子１００２が設けられており、該簀の子１００２によって前記砂収容部１０７１から前記出入口１０６２へ向かうペットを迂回させる迂回通路１１１１が、前記砂収容部１０７１より一段高い位置に設けられている。これにより、前記砂収容部１０７１と前記出入口１０６２との間には、ペットを迂回させる前記迂回通路１１１１が設けられている。
【０１３６】
そして、前記砂収容部１０７１から前記迂回通路１１１１への進入方向１１１５と前記迂回通路１１１を移動するペットの移動方向１１１６とは、交差方向に設定されている。
【０１３７】
前記前蓋部１０２２に設けられた前記出入口１０６２の幅寸法１１２１は、１２０ｍｍに設定されており、平均よりやや大きめで体重が７ｋｇの猫が出入りできる寸法に設定されている。また、前記連通口１０９３での幅寸法１１２２は、１７０ｍｍに設定されており、平均よりやや大きめで体重が７ｋｇの猫が曲がれる寸法に設定されている。さらに、前記砂収容部１０７１の幅寸法１１２３は、２７０ｍｍに設定されており、平均よりやや大きめで体重が７ｋｇの猫が当該砂収容部１０７１で回転しＵターンできる寸法に設定されている。
【０１３８】
前記簀の子１００２の簀の子本体１３０１は、図１４から図１７に示すように、長方形状に形成されており、その上面は、通過時にペットが足で踏む踏み面１３０２を構成している。これにより、この踏み面１３０２をペットが踏んで通過する際に、当該ペットの足に付着したペット用砂１０７２，・・・等の付着物を落とせるように構成されている。
【０１３９】
この簀の子本体１３０１は（図１３参照）、前記通路部１０８１にセットされた状態で、ペットが通過するペット通過方向１３１１に延設されるように構成されており、その長さ方向がペット通過方向１３１１に設定されている。
【０１４０】
この簀の子本体１３０１は、前記ペット通過方向１３１１の長さ寸法１３２１が４００ｍｍ以上、具体的には、４４０ｍｍに設定されており、第一の実施の形態の図６に示したように、平均的な大人の猫３１２が当該簀の子本体１３０１上を通過する場合であっても、総ての足３２２，・・・が前記踏み面１３０２に着地するように構成されている。
【０１４１】
すなわち、前記砂収容部１０７１にて排泄したペットがペット用トイレ１００１から出る際には、図１３に示したように、前記連通口１０９３を通って一段高い前記簀の子１００２上に上ると同時に左側へ回る。これにより、走り出そうとするペットの加速を抑える減速手段が構成されており、前記簀の子１００２上をゆっくり歩かせることができる。
【０１４２】
また、前記簀の子１００２が出入口１０６２近傍に横設された従来と比較して、当該簀の子１００２上を、より長い時間を掛けて歩かせることができるとともに、その歩数の増大を図ることができるように構成されている。
【０１４３】
これにより、簀の子１００２への接地機会をより多くし、付着したペット用砂１０７２，・・・の落下をさらに促進できる。
【０１４４】
前記簀の子本体１３０１は、図１４から図１７に示したように、合成樹脂で形成されており、金属や木材で形成することもできる。
【０１４５】
この簀の子本体１３０１は、長方形状に形成されるとともに、前記便床トレイ１０１１の角部に配置されるトレイ角部１４００が前記便床トレイ１０１１の内側面に沿った湾曲状に形成されており、図１３に示したように、前記便床トレイ１０１１にセットした状態で、前記トレイ角部１４００が前記便床トレイの角部に適合するように形成されている。
【０１４６】
前記簀の子本体１３０１は、図１４から図１７に示したように、略長方形状の枠部１４０１と、該枠部１４０１内に配置され当該簀の子本体１３０１の長さ方向に延在する複数の縦格子１４０２，・・・と、前記枠部１４０１内に配置され各縦格子１４０２，・・・の交差方向に延在する複数の横格子１４０３，・・・とで構成されており、前記枠部１４０１と前記縦格子１４０２，・・・と前記横格子１４０３，・・・とは一体形成されている。
【０１４７】
これにより、前記簀の子本体１３０１には、前記縦格子１４０２，・・・と前記横格子１４０３，・・・とで包囲された正方形状の開口部１４１１，・・・が設けられており、各開口部１４１１，・・・は、上下に貫通している。各開口部１４１１，・・・の一辺の長さ１４１２，１４１２は、２０ｍｍに設定されており、前記段差部１１０１上面の前記位置決め部１０９５，１０９５を挿入した状態で係合できるように構成されている。
【０１４８】
また、前記各開口部１４１１，・・・の一辺の長さ１４１２，１４１２は、２０ｍｍ以下に設定されているため、当該簀の子本体１３０１上を子猫が歩いた場合であっても、その足が前記開口部１４１１，・・・に落ちないように構成されている。
【０１４９】
ここで、本実施の形態では、前記各縦格子１４０２，・・・と前記横格子１４０３，・・・とが直交する場合に付いて説明するが、これに限定されるものではなく、斜めに交差させても良い。
【０１５０】
前記枠部１４０１の両短辺１４２１，１４２１及び前記各横格子１４０３，・・・は、前記踏み面１３０２を構成する上縁が上方へ突出した円弧状に形成されており、前記踏み面１３０２は、全体的に中央が突出した円柱面状に形成されている。
【０１５１】
これにより、第一の実施の形態の図７に示したように、ペットである猫３１２が踏んで通過する簀の子１００２の踏み面１３０２は、非平面状、具体的には、中央部が上方へ突出した曲面状に形成されており、歩き難い形状に形成されている。
【０１５２】
このため、この踏み面１３０２上を歩く猫３１２は、足３２２，３２２に力が加わり、踏ん張って歩くこととなる。これにより、足裏４５１，４５１面が変形することによって肉球間の隙間を開き、肉球間に挟まったペット用砂１０７２，・・・等などの付着物を積極的に落下させることができる。
【０１５３】
なお、本実施の形態では、前記踏み面１３０２を曲面で構成した場合に付いて説明するが、三角形状や多角形状であっても良い。
【０１５４】
また、簀の子本体１３０１自体を円柱状に形成して良い。
【０１５５】
さらには、前記枠部１４０１内にネットを架橋したり、金網を設けても良い。
【０１５６】
そして、前記踏み面１３０２を構成する前記縦格子１４０２，・・・の上縁には、図１４から図１７に示したように、前記踏み面１３０２側である上方へ突出するリブ１４３１，・・・が間隔をおいて形成されており、当該踏み面１３０２を歩くペットの足裏に、前記各リブ１４３１，・・・が食い込むことによって足裏の肉球間の隙間を広げられるように構成されている。
【０１５７】
このため、第一の実施の形態の図８に示したように、このリブ１４３１，・・・が猫３１２の足裏４５１，・・・に食い込むことによって、足裏４５１，・・・の肉球間の隙間を広げることができる。
【０１５８】
これによっても、肉球間に挟まったペット用砂１０７２，・・・等の付着物を落下させることができ、足裏４５１，・・・の肉球の間の付着物の残存量をより少なくすることができる。
【０１５９】
この場合、前記簀の子の踏み面１３０２は、平坦面であっても良い。
【０１６０】
そして、前記簀の子本体は、図１４から図１７に示したように、湾曲した前記トレイ角部１４００を不具備な短辺１４２１側の中央部に、楕円開口部１５０１が開設されているとともに、前記トレイ角部１４００を不具備な長辺１５０２側の縁部に、円弧状の切欠部１５０３，１５０３が二箇所に形成されている。
【０１６１】
これにより、前記楕円開口部１５０１や前記切欠部１５０３，１５０３に指を引っ掛けることによって、当該簀の子２００１の取り外しを容易に行えるように構成されている。
【０１６２】
以上の構成にかかる本実施の形態において、便床トレイ１０１１の砂収容部１０７１とフード１０１２の出入口１０６２との間には、ペットを迂回させる迂回通路１１１１が設けられており、前記砂収容部１０７１から前記出入口１０６２へ向かうペットを前記迂回通路１１１１で迂回させることができる。
【０１６３】
これにより、ペットをより長い時間、前記便床トレイ１１１１内を歩かせることができるため、ペットの足に付着した粒状体としてのペット用砂１０７２，・・・を前記便床トレイ１１１１内に落とす機会を増大することができる。
【０１６４】
したがって、ペットの足に付着した前記ペット用砂１０７２，・・・を前記便床トイレ１０１１内に落とす効果を高めることができ、ペット用砂１０７２，・・・の外部への散乱を防止することができる。
【０１６５】
このとき、この迂回通路１１１１には、メッシュ状の簀の子１００２が設けられている。
【０１６６】
このため、ペットの足に付着した前記ペット用砂１０７２，・・・を前記簀の子１００２のメッシュを構成する開口部１４１１，・・・を介して落下させることができる。
【０１６７】
また、このペット用トイレ１００１では、前記迂回通路１１１１の前記ペット用砂１０７２，・・・を前記砂収容部１０７１に回収する砂回収部１１０２，１１０２を備えている。このため、前記迂回通路１１１１を移動する際にペットが落とした前記ペット用砂１０７２，・・・を前記砂回収部１１０２，１１０２を介して前記砂収容部１０７１に戻すことができる。
【０１６８】
そして、前記フード１０１２に設けられた出入口１０６２を介してペットを出入りさせることができる。
【０１６９】
また、前記便床トレイ１０１１を覆う前記フード１０１２は半透明に設定されている。このため、当該ペット用トイレ１００１内部を見易くすることができる。
【０１７０】
そして、前記迂回通路１１１１側と前記砂収容部１０７１側とを隔てる仕切板１０８２を、着色された非透明の樹脂で形成することによって、ペットを前記迂回通路１１１１に案内することができる。
【０１７１】
このため、前記仕切板１０８２が透明又は半透明に設定された場合と比較して、ペットが近道をしようとして、当該仕切板１０８２に当たってしまうといった不具合を未然に防止することができる。
【０１７２】
さらに、前記迂回通路１１１１を前記砂収容部１０７１より高位置に設定することによって、ペットが前記砂収容部１０７１から前記迂回通路１１１１に上るときに加わる力によって、足裏の肉球間を広げ、この肉球間に挟まれたペット用砂１０７２，・・・を落とすことができる。
【０１７３】
そして、前記砂収容部１０７１から前記迂回通路１１１１への進入方向１１１５と、前記迂回通路１１１１を移動するペットの移動方向１１１６とを交差方向に設定したため、前記迂回通路１１１１に上って前記出入口１０６２へ向かうペットを曲がらせることができ、前記迂回通路１１１１での移動速度を減速することができる。
【０１７４】
したがって、ペットを迂回させる迂回通路１１１１を前記砂収容部１０７１と前記出入口１０６２との間に直線状に延設する場合のように、ペットが迂回通路１１１１を走り抜けてしまうという問題を解消し、前記迂回通路１１１１での前記ペット用砂１０７２，・・・の落下効果を高めることができる。
【０１７５】
加えて、前記便床トイレ１０１１を覆う前記フード１０１２の前記前蓋部２２を、半透明の合成樹脂で形成することによって、当該ペット用トイレ１００１内部を見易くすることができる。
【０１７６】
なお、前記各実施の形態の簀の子２，１００２としては、蜂の巣状に形成された段ボールによって構成しても良い。
【０１７７】
また、この簀の子２，１００２に設けられた穴形状は、六角形に限定されるものでは無い。例えば、四角形等であっても良い。
【図面の簡単な説明】
【０１７８】
【図１】本発明の第一の実施の形態を示す斜視図である。
【図２】同実施の形態の内部を示す斜視図である。
【図３】同実施の形態の内部を示す平面図ある。
【図４】同実施の形態の簀の子を示す斜視図である。
【図５】同実施の形態の簀の子を示す図である。
【図６】同実施の形態の簀の子の利用形態を示す側面図である。
【図７】同実施の形態の簀の子の利用形態を示す正面図である。
【図８】同実施の形態の簀の子の利用形態を示す要部の拡大図である。
【図９】本発明の第二の実施の形態を示す斜視図である。
【図１０】同実施の形態を示す分解斜視図である。
【図１１】同実施の形態の側面図である。
【図１２】図９のＢ−Ｂ線に沿った断面図である。
【図１３】同実施の形態の内部の状態を示す説明図である。
【図１４】同実施の形態の簀の子を示す斜視図である。
【図１５】同実施の形態の簀の子を示す平面図である。
【図１６】同実施の形態の簀の子を示す正面図である。
【図１７】同実施の形態の簀の子を示す背面図である。
【図１８】従来のペット用トイレを示す図である。
【符号の説明】
【０１７９】
１    ペット用トイレ
２    簀の子
１１    便床トレイ
１２    フード
２２    前蓋部
４１    前部バックル
６２    出入口
７１    砂収容部
７２    ペット用砂
８２    仕切板
１０２    砂回収部
１１１    迂回通路
１１５    進入方向
１１６    移動方向
３０１    簀の子本体
３０２    踏み面
３１１    ペット通過方向
３１２    猫
３２１    長さ寸法
３２２    足
４０２    縦格子
４０３    横格子
４１１    開口部
４３１    リブ
１００１    ペット用トイレ
１００２    簀の子
１０１１    便床トレイ
１０１２    フード
１０２２    前蓋部
１０６２    出入口
１０７１    砂収容部
１０７２    ペット用砂
１０８２    仕切板
１１０２    砂回収部
１１１１    迂回通路
１１１５    進入方向
１１１６    移動方向
１３０１    簀の子本体
１３０２    踏み面
１３１１    ペット通過方向
１３２１    長さ寸法
１４０２    縦格子
１４０３    横格子
１４１１    開口部
１４３１    リブ
【図１】
2009136274.tif 000003
【図２】
2009136274.tif 000004
【図３】
2009136274.tif 000005
【図４】
2009136274.tif 000006
【図５】
2009136274.tif 000007
【図６】
2009136274.tif 000008
【図７】
2009136274.tif 000009
【図８】
2009136274.tif 000010
【図９】
2009136274.tif 000011
【図１０】
2009136274.tif 000012
【図１１】
2009136274.tif 000013
【図１２】
2009136274.tif 000014
【図１３】
2009136274.tif 000015
【図１４】
2009136274.tif 000016
【図１５】
2009136274.tif 000017
【図１６】
2009136274.tif 000018
【図１７】
2009136274.tif 000019
【図１８】
2009136274.tif 000020